(57)【要約】【課題】腹部又は臀部等の身体各部の皮下脂肪をとるために、超音波振動子を設けたベルトを装着することにより、手放しで使用可能とし、超音波の振動効果によって体内の老廃物を分解して体外へ排出することにより、身体の皮下脂肪をとるようにした超音波痩身器具を提供する。【解決手段】伸縮ベルト２を弾性ベルト本体３の両端に長さ調整且つ着脱自在に接続することによって身体各部への装着を可能にすると共に弾性ベルト本体３に超音波振動子８と超音波ヘッド９とを組み合わせてなる超音波振動体４を１個又は複数個取り付け、夫々の超音波振動子８を電子制御回路に接続して該超音波振動子８の作動数を選択可能にしたものである。【選択図】図１
2004136006.tif 000002
【特許請求の範囲】
【請求項１】
伸縮ベルトを弾性ベルト本体の両端に長さ調整且つ着脱自在に接続することによって身体各部への装着を可能にすると共に前記弾性ベルト本体に超音波振動子と超音波ヘッドとを組み合わせてなる超音波振動体を１個又は複数個取り付け、夫々の超音波振動子を電子制御回路に接続して該超音波振動子の作動数を選択可能にしたことを特徴とする超音波痩身器具。
【請求項２】
前記超音波振動子として強誘電体セラミックスが用いられていることを特徴とする請求項１記載の超音波痩身器具。
【発明の詳細な説明】
【０００１】
【発明の属する技術分野】
本発明は、超音波振動子の作用によって腹部、臀部或は太腿等の身体各部の皮下脂肪をとるようにした超音波痩身器具に関するものである。
【０００２】
【従来の技術】
従来から超音波振動子を利用した健康器具或は美容器具が開発されている。なかでも、超音波振動子を利用した美容器具は、主に肌のシミや皺等をとるための美顔用として利用されており、エステサロン等における業務用の大型機器として開発されているほか、一般ユーザー向けにも簡易的な構造のものが開発されている。
【０００３】
このような美容業界における超音波振動子を利用した美容器具は、超音波洗浄装置に見られる洗浄効果と同様の原理を有している。即ち、水中で発射される超音波とその反射波とが衝突する際に圧力変化が大きくなることによって空洞現象を生じ、これが微小な振動を発生することによって効果的な洗浄を実行するようにしてある。
【０００４】
これと同様に、人体においても水分が存在するため、超音波の振動効果によって体内の老廃物が分解されると共に皮下脂肪の燃焼が促進され、老廃物が体外に排出されることによって、皮下脂肪が体内に残り難い身体環境となる。
【０００５】
【発明が解決しようとする課題】
ところで、上記のように種々利用されている超音波振動子は、エステサロン等で業務用の超音波痩身器として開発されているが、一般ユーザー向けに開発されているもののなかで、腹部、臀部或は太腿等を対象として皮下脂肪を取り去る構造としては、器具を手に持って所望部に当てるものが大半であり、その使用には手間を有し、使用中においては他の家事等を行うことができないという欠点があった。
【０００６】
本発明は、上記の事情に鑑みてなされたもので、腹部又は臀部等の身体各部の皮下脂肪をとるために、超音波振動子を設けたベルトを装着することにより、手放しで使用可能とし、超音波の振動効果によって体内の老廃物を分解して体外へ排出することにより、身体の皮下脂肪をとるようにした超音波痩身器具を提供することを目的とする。
【０００７】
【課題を解決するための手段】
上記の目的を達成するために、本発明の請求項１の超音波痩身器具は、伸縮ベルトを弾性ベルト本体の両端に長さ調整且つ着脱自在に接続することによって身体各部への装着を可能にすると共に前記弾性ベルト本体に超音波振動子と超音波ヘッドとを組み合わせてなる超音波振動体を１個又は複数個取り付け、夫々の超音波振動子を電子制御回路に接続して該超音波振動子の作動数を選択可能にしたことを特徴とする。
【０００８】
また、本発明の請求項１の超音波痩身器具は、請求項２において、前記超音波振動子として強誘電体セラミックスが用いられていることを特徴とする。
【０００９】
【発明の実施の形態】
以下、本発明の実施例について図面を参照しながら説明する。
【００１０】
本発明による超音波痩身器具は、図１に示すように、伸縮ベルト２を弾性ベルト本体３の両端に長さ調整且つ着脱自在に接続することによって身体各部への装着を可能にすると共に弾性ベルト本体３に超音波振動子８と超音波ヘッド９とを組み合わせてなる超音波振動体４を１個又は複数個取り付け、夫々の超音波振動子８を電子制御回路５に接続して超音波振動子８の作動数を選択可能にしたものであり、図１に示すベルト装着部１とケース２０内に収容された電子制御回路５とを超音波振動体４の数に応じてコード２１で接続することにより構成されている。
【００１１】
このような構成についてより詳細に述べると、図１のベルト装着部１の弾性ベルト本体３はシリコンゴム等のように弾性を有し、且つ肌に優しくなじみやすい素材からなり、図２（ａ）及び（ｂ）に示すように、やや長尺の平板をなし、ある程度の厚さを有することによって強度を確保してある。また、弾性ベルト本体３には軽量化を図ると共に伸縮性を有するように、面内の所要箇所に複数の空所６、６…を形成している。この弾性ベルト本体３の弾性は、後述する超音波振動子８とこれに接合された超音波ヘッド９の微小な振動を良好に支持し、装着した身体部位になじみ易く、良好なマッサージ効果を生じるのに有益となる。
【００１２】
図１に示すように、弾性ベルト本体３には２個の超音波振動体４、４が付設されている。即ち、図２（ａ）又は図３に示すように弾性ベルト本体３に２個の取付穴１１、１１（図３参照）が所定間隔で形成され、各取付穴１１に上記の超音波振動子８と超音波ヘッド９とからなる超音波振動体４が取り付けられ、これらの組合せ構造がケース１０でカバーされている。
【００１３】
このような構成において、超音波振動子８は強誘電体セラミックスにより形成され、超音波ヘッド９はステンレスによって形成されている。また、図３に示すように、超音波ヘッド９のステンレス面が弾性ベルト本体３の裏側に露出するように取り付けられ、本器具を装着した際に超音波ヘッド９のステンレス面が人体各部にあたるようにしている。
【００１４】
各超音波振動体４の超音波振動子８には後述する電子制御回路から導かれたコード２１の雌型端子２２が接続され、これに電子制御回路５から導かれたコード２１の雄型端子２３ａを接続することによって電子制御回路５からの交番荷重を超音波振動子８に付与するようにしている。
【００１５】
なお、図１に示すように、電子制御回路５との接続にもコード２１の他端に設けられた雄型端子２３ｂによって接続するようにしても良い。
【００１６】
このような構成により、超音波振動子８である強誘電体セラミックスに交番荷重が付与されると、セラミックスの圧電現象により、交番電圧の周波数にほぼ等しい振動が発生する。この周波数が２０ＫＨｚ以上であれば超音波振動となる。そして、この振動が超音波ヘッド９に付与されると、超音波振動がステンレス面の全面に効率良く発生して人体各部の皮下脂肪等に伝達される。
【００１７】
なお、本実施例においては、弾性ベルト本体３に２個の超音波振動体４、４を付設してあり、これらの超音波振動体４、４に対する電子制御回路５からのコード２１の接続数によって、超音波振動体４、４の１個又は２個の作動数を選択することができる。従って、超音波振動体４が２個設けられている場合、その作動数の選択によって最大２個まで超音波振動体４を使用することが可能となる。
【００１８】
ただし、本発明は超音波振動体４の取り付け個数を上記に限定するものではなく、用途に応じて弾性ベルト本体３に１個又は複数の超音波振動体４を付設するものであり、その数の限度内で超音波振動体４の作動数を選択することができる。
【００１９】
さらに、本実施例においては、図２（ｂ）に示すように弾性ベルト本体３の両端に挿通穴２４が形成され、図２（ａ）に示すように、夫々の挿通穴２４、２４に連結金具２５、２５を係止している。各連結金具２５は両側にベルト係止部２６、２６を有し、一方の連結金具２５のベルト係止部２６を伸縮ベルト２の一端に縫着（縫着線１９）により形成した穴部２７に挿通する。この伸縮ベルト２の他端には面ファスナー２８が設けられ、この面ファスナー２８の側端部を他方の連結金具２５のベルト係止部２６に係止し、折り返して接合することによって伸縮ベルト２の長さを調整するようにしている。
【００２０】
一方、本実施例における電子制御回路５は、図１に示すケース２０内に収容されている。このケース２０には、超音波振動体４から導かれたコード２１の端部に設けられた雄型端子２３ｂを接続するための雌型端子（不図示）が設けられ、雄型端子２３ｂを雌型端子へ接続する数によって超音波振動子８の作動数が決まり、接続時にはケースの後方上部に設けられたＬＥＤが点灯することによって接続状況を知ることができる。
【００２１】
また、ケース２０の前方上部にはスイッチＳＷ１とパワーコントロールＰＷＣを兼ねたボタンＳＷ１・ＰＷＣと、スイッチＳＷ１をＯＮしたときに点灯するＬＥＤ１と、タイマーＴＳＷと、このタイマーＴＳＷを作動したときに点灯するＬＥＤ２が設けられている。
【００２２】
ケース２０内における電子制御回路５の構成は、図５に示すように、電源アダプターからの電源をスイッチ１（ＳＷ１）を通してＯＮ・ＯＦＦし、ＯＮした時にはＬＥＤ１が点灯し、スイッチ１は電圧調整回路を経てを振動子コントロール回路に導かれ、またスイッチ１はパワーコントローラＰＷＣを経て振動子コントロール回路に導かれている。なお、パワーコントローラＰＷＣの調整によって電圧の強さを変えることができる。
【００２３】
また、振動子コントロール回路はタイマーボタンＴＳＷによって起動するタイマーに接続され、スイッチ２を経て端子１〜４に連結されている。なお、本実施例において、この端子の数は図５においては４個であるが、本発明はこれに限定されるものではない。また、各端子には超音波振動子８と超音波ヘッド９を組み合わせた超音波振動体４が接続され、接続時には各ＬＥＤが点灯して接続状況を知ることができる。
【００２４】
上記のタイマーは、例えば８ｍＳ（０．００８秒）の作動時間と８ｍＳ（０．００８秒）の停止時間を繰り返すように設定され、タイマーボタンＴＳＷを押すことによって、例えば１０分間の設定時間内で上記の作動と停止を繰り返して各超音波振動子８に交番電圧を送給することとなる。なお、上記の８ｍＳ（０．００８秒）及び１０分間は一例であってこれに限定されるものではない。
【００２５】
上記の構成において、各超音波振動子８においては、例えば１ＭＨｚの振動を発生するように設定してあり、これを超音波ヘッド９に伝達して該超音波ヘッド９のステンレス面を振動させることができ、この振動が身体各部に伝達されると、皮膚表面から約３ｃｍ位の奥部にある皮下脂肪を振動させる。超音波ヘッド９の表面温度は４０℃程度に設定してあるため、皮下脂肪の活性化を促進し、余分な皮下脂肪を燃焼させ、体外へと排出することができる。
【００２６】
【発明の効果】
以上説明したように、本発明の超音波痩身器具は、超音波振動子と超音波ヘッドとを組み合わせてなる超音波振動体を付設した弾性ベルト本体の両端に長さ調整且つ着脱自在に伸縮ベルトを接続することにより、所望の身体各部への装着を可能にしてある。
【００２７】
従って、本発明の超音波痩身器具を腹部、臀部又は太腿等に装着した状態で手放しで使用可能であり、装着部に対する超音波の振動効果によって体内の老廃物を分解し、体外へ排出することにより、身体の皮下脂肪をとることができ、家庭内等における手軽な痩身器具としての使用が可能となる。
【図面の簡単な説明】
【図１】本発明による超音波痩身器具の全体斜視図である。
【図２】（ａ）は本発明による超音波痩身器具の部分平面図であり、（ｂ）は側面図である。
【図３】本発明による超音波痩身器具の裏面図である。
【図４】本発明による超音波痩身器具の要部の構成を示す図である。
【図５】本発明による超音波痩身器具の電子制御回路を示す図である。
【符号の説明】
１…ベルト装着部
２…伸縮ベルト
３…弾性ベルト本体
４…超音波振動体
５…電子制御回路
６…空所
８…超音波振動子
９…超音波ヘッド
１０…ケース
１１…取付穴
１９…縫着線
２０…ケース
２１…コード
２２…雌型端子
２３ａ、２３ｂ…雄型端子
２４…挿通穴
２５…連結金具
２６…ベルト係止部
２７…穴部
２８…面ファスナー
【図１】
2004136006.tif 000003
【図２】
2004136006.tif 000004
【図３】
2004136006.tif 000005
【図４】
2004136006.tif 000006
【図５】
2004136006.tif 000007